(57)【要約】【課題】液晶表示部と印刷表示部とが一体化して見える効果が高く、意匠性が高い表示装置を提供する。【解決手段】表示装置１は、バックライト３１ａを有し情報を液晶表示する液晶表示部４１と、液晶表示部４１の周囲の枠が印刷により形成された印刷表示部４３と、を含む情報表示パネル４が設けられた表示部３と、表示部３の情報表示パネル４側に配設されたカバー部５と、表示部３とカバー部５との間に設けられ、印刷表示部４３に対して光を照射する光源部７と、を備えたことを特徴とする。【選択図】図３
2010231046.tif 000002
【特許請求の範囲】
【請求項１】
バックライトを有し情報を液晶表示する液晶表示部と、前記液晶表示部の周囲の枠をなす印刷表示部と、を含む情報表示面が設けられた表示部と、
前記表示部の前記情報表示面側に配設され前記表示部を覆うカバー部と、
前記表示部と前記カバー部との間に設けられ、前記印刷表示部に対して光を照射する光源部と、
を備えたことを特徴とする表示装置。
【請求項２】
前記液晶表示部の背景色は黒色であることを特徴とする請求項１に記載の表示装置。
【請求項３】
前記光源部は、
夜間において前記印刷表示部に対して光を照射することを特徴とする請求項１又は２に記載の表示装置。
【発明の詳細な説明】
【技術分野】
【０００１】
本発明は、表示装置に関するものであり、特に、自動車のインパネ（インストルメントパネル）に搭載され各種情報を表示する用途に好適に用いられる表示装置に関するものである。
【背景技術】
【０００２】
従来、このような分野の技術として、下記特許文献１に記載の表示装置が知られている。この表示装置は、カラー液晶部を備えた車両用計器であり、文字盤と液晶表示部の表面に透過率が低いフィルタを配設することで、液晶表示部の輪郭を目立たなくすることが提案されている。
【先行技術文献】
【特許文献】
【０００３】
【特許文献１】特開２００３−２５５３４０号公報
【発明の概要】
【発明が解決しようとする課題】
【０００４】
この種の表示装置は、液晶パネル及びバックライトによって可変情報が表示される液晶表示部と、当該液晶表示部の枠をなす印刷表示部と、の組み合わせにより運転者に必要な情報が提示される。そして近年、この種の表示装置においては、液晶表示部と印刷表示部とが一体化して見えるような意匠性が高いものが求められている。しかしながら、上記の表示装置では、暗い場所においては液晶表示部の漏光が目立つため、液晶表示部の明るさと印刷表示部の明るさとに差が出て、両者の背景色の色調が異なって見えてしまう。このため、特に暗い場所において、液晶表示部と印刷表示部とが一体化して見えるといった効果は十分ではない。
【０００５】
そこで、本発明は、液晶表示部と印刷表示部とが一体化して見える効果が高く、意匠性が高い表示装置を提供することを目的とする。
【課題を解決するための手段】
【０００６】
本発明の表示装置は、バックライトを有し情報を液晶表示する液晶表示部と、液晶表示部の周囲の枠をなす印刷表示部と、を含む情報表示面が設けられた表示部と、表示部の情報表示面側に配設され前記表示部を覆うカバー部と、表示部とカバー部との間に設けられ、印刷表示部に対して光を照射する光源部と、を備えたことを特徴とする。
【０００７】
この表示装置にはカバー部が設けられていることから、情報表示面が暗くなるため、液晶表示部においては、バックライトからの漏光が目立ちやすい。これに対し、印刷表示部は光源部からの光が照射されることにより照度が上がるので、液晶表示部の照度と印刷表示部の照度とが近くなり、その結果、液晶表示部と印刷表示部とが一体化して見える効果が高まる。
【０００８】
また、液晶表示部の背景色は黒色である場合に特に効果的である。液晶表示部の背景色が黒色である場合には、バックライトからの漏光が特に目立ちやすいが、印刷表示部は光源部からの光が照射されることにより照度が上がるので、液晶表示部の照度と印刷表示部の照度とが近くなり、その結果、液晶表示部と印刷表示部とが一体化して見える効果が高まる。
【０００９】
また、光源部は、夜間において印刷表示部に対して光を照射するようにしてもよい。夜間は、情報表示面が特に暗くなるので、液晶表示部においては、バックライトからの漏光が特に目立ちやすい。これに対し、印刷表示部は光源部からの光が照射されることにより照度が上がるので、液晶表示部の照度と印刷表示部の照度とが近くなり、その結果、液晶表示部と印刷表示部とが一体化して見える効果が高まる。
【発明の効果】
【００１０】
本発明によれば、液晶表示部と印刷表示部とが一体化して見える効果が高く、意匠性が高い表示装置を提供することができる。
【図面の簡単な説明】
【００１１】
【図１】本発明に係る表示装置の実施形態を示す図２のI-I視断面図である。
【図２】図１の表示装置を運転席側から見た形状を示す図である。
【図３】図２の表示装置のIII-III視断面図である。
【図４】（ａ）は、図１の表示装置の光源部による光の照射位置を示す側面視断面図であり、（ｂ）は、その正面図である。
【発明を実施するための形態】
【００１２】
以下、図面を参照しつつ本発明に係る表示装置の好適な実施形態について詳細に説明する。
【００１３】
図１〜図３に示す表示装置１は、自動車のインパネ（インストルメントパネル）に搭載され、運転に必要な各種情報を視覚的に表示して運転者Ａに提供する自動車用の計器として利用される。以下、各要素の位置関係を説明するときに用いる「奥」、「手前」なる文言は、それぞれ、運転者Ａ側から見て（運転席側から見て）奥、手前を意味するものとする。
【００１４】
この表示装置１は、各種情報を表示する情報表示パネル４を有する表示部３を備えている。情報表示パネル４は手前側に向けて位置し運転者Ａ側に対面している。更に、表示装置１は、表示部３の情報表示パネル４側に設置されたカバー部５を備えている。カバー部５は、運転者Ａと表示部３との間に位置し、下方が奥側に行くように傾斜したスモークガラスからなる。カバー部５と表示部３との間には、側面視断面三角形の空間が形成される。表示部３の情報表示パネル４上に表示された情報は、カバー部５を透過して運転者Ａの目に入る。詳細は後述するが、情報表示パネル４は、情報がカラー液晶表示される長円形状の液晶表示部４１と、その液晶表示部４１を囲む枠をなす印刷表示部４３とで構成されている。
【００１５】
図３に示すように、表示部３は、カラー液晶表示により情報を表示するカラー液晶パネル３１と、当該カラー液晶パネル３１の手前側に重ねて設置された板状の情報表示パネル４とを備えている。カラー液晶パネル３１は、液晶板、カラーフィルタ等を備え、更に、バックライト３１ａを備えたいわゆる透過型液晶ディスプレイパネルである。バックライト３１ａとしては、直下ライト式、サイドライト式、又は面状光源方式といった公知の方式のバックライトを用いることができる。カラー液晶パネル３１は、制御ＥＣＵ（図示せず）からの制御信号に基づいて、自動車の走行中に刻々と変化する情報（例えば、車速、エンジン回転数等）をディスプレイ表示する。
【００１６】
表示部３の情報表示パネル４には、運転者Ａ側から見て中央部の長円形状の領域以外の領域４３の裏面に黒印刷が施されている。情報表示パネル４のうち、黒印刷が施されていない中央部４１は透明であり、カラー液晶パネル３１のディスプレイ表示を透過させるための窓部４１として機能する。そして、黒印刷が施された部分は黒色不透明であり、窓部４１を囲む表示枠部４３として機能する。この表示枠部４３には、上記黒印刷を下地として、表示を変化させる必要がない固定情報（例えば、燃料インジケータの目盛り、オイル切れ警告ランプ等のランプの説明アイコンなど）も印刷表示されている。
【００１７】
以上のような表示部３の構成により、運転者Ａ側から見た情報表示パネル４は、図２に示されるように、カラー液晶パネル３１のディスプレイ表示が透過して視認される長円形状の液晶表示部４１と、当該液晶表示部４１の周囲の枠をなすと共に固定情報が印刷表示された印刷表示部４３と、で構成されることになる。カラー液晶パネル３１の表示仕様によれば、液晶表示部４１では種々のカラーで情報を表示することが可能であるが、この液晶表示部４１においては、背景を黒色で表示し、当該黒色背景上に必要な情報を所定のカラーで表示するものとする。
【００１８】
このような表示装置１では、意匠性を高め高級感を出す観点から、運転者Ａから見て、液晶表示部４１とその枠をなす印刷表示部４３とが一体化して見えることが好ましい。ところが、液晶表示部４１は、カラー液晶パネル３１の特性であるバックライト３１ａの背景漏光により、完全な黒色を表現することが出来ず、黒色の背景画像を表示しようとしても僅かにグレー色に見えてしまう。一方、この表示装置１の情報表示パネル４全体がスモークガラスを用いたカバー部５により覆われていることから、情報表示パネル４は比較的暗く、その結果、印刷表示部４３の黒印刷部分は黒色として視認される。
【００１９】
すなわち、液晶表示部４１で黒色の背景画像を用いる場合、液晶表示部４１の黒色の背景画像と、印刷表示部４３の黒印刷部分との間に色調の差が発生する。夜間など車内が暗い場合には、特にこの色調差が顕著である。そして、この場合、カラー液晶パネル３１の表示と、印刷表示部４３との奥行き方向の位置の違いも強調されるので、液晶表示部４１と印刷表示部４３とが一体化して見える効果は期待できない。
【００２０】
そこで、この表示装置１は、カバー部５と表示部３との間の側面視断面三角形の空間に設けられた光源部７を備えている。光源部７は、上記断面三角形の空間の上部に設置され、印刷表示部４３に向けて斜め下方奥側に光Ｌを照射する。具体的には、図１及び図４（ａ），（ｂ）に示すように、上記断面三角形の空間を形成する天井壁に左右２つの光源部７が設けられており、各光源部７は、液晶表示部４１と印刷表示部４３との左右の境界部分９ａ，９ｂを中心に狙って光Ｌを照射する。光源部７は、例えば、ＬＥＤ、電球等の公知の発光手段を備える。
【００２１】
このような光源部７の存在によって、印刷表示部４３は光源部７からの光Ｌの照射により照度が上がる。従って、特に、印刷表示部４３と液晶表示部４１との境界部分９ａ，９ｂ付近において、液晶表示部４１の背景色の照度と印刷表示部４３の照度とが近くなり、運転者Ａに視認される両者の色調が近づくことになる。その結果、液晶表示部４１と印刷表示部４３とがシームレスに一体化して見える効果が高まり、表示部３の意匠性を高めることができる。また、液晶表示部４１と印刷表示部４３とが一体化して見えることにより、液晶表示部４１を実際の面積よりも広く見せる効果もある。なお、ここでは、更に、光源部７の光が照射されたときの印刷表示部４３の色調に合わせて、液晶表示部４１の背景色を調色してもよい。
【００２２】
また、前述したように、特に、夜間など車内が暗い場合に、液晶表示部４１の黒色の背景と、印刷表示部４３の黒印刷による枠との間に色調の差が発生することに鑑み、光源部７は、夜間に点灯し、印刷表示部４３に光を照射することとしてもよい。このように、夜間に光源部７を点灯させる仕組みとしては、例えば、自動車のヘッドライト（図示せず）の点灯スイッチと光源部７の点灯スイッチとを連動させ、ヘッドライトが点灯される時間帯を夜間と見なして光源部７を点灯させるようにしてもよい。
【産業上の利用可能性】
【００２３】
本発明は、表示装置に関するものであり、特に、自動車のインパネに搭載され各種情報を表示する用途に好適に用いられ、液晶表示部と印刷表示部とが一体化して見える効果を高めるものである。
【符号の説明】
【００２４】
１…表示装置、３…表示部、４…情報表示パネル、５…カバー部、７…光源部、３１ａ…バックライト、４１…液晶表示部、４３…印刷表示部。
【図１】
2010231046.tif 000003
【図２】
2010231046.tif 000004
【図３】
2010231046.tif 000005
【図４】
2010231046.tif 000006